(57)【要約】【課題】記録媒体の盗難を適切に抑制する。【解決手段】遊技場の従業員により設定されるロック時間に亘って着席状態を検出していない場合にＩＣカード１１の発行を抑制することで、ＩＣカード１１の盗難を適切に抑制することができる。又、着席状態を検出していない場合にＩＣカード１１の発行を抑制するための基準となるロック時間、及び着席状態を検出している場合にＩＣカード１１の発行の抑制を解除するための基準となるロック解除時間を、遊技場の従業員による操作に基づいて設定することで、セキュリティの度合いを遊技場側で望むものにし易くすることができる。【選択図】図１
2018198637.tif 000002
【特許請求の範囲】
【請求項１】
遊技機に対応して設けられ、遊技に使用する遊技価値の大きさを特定可能な情報を記録した記録媒体を受け付ける受付手段と、
遊技機に対応して設けられ、遊技者が予め定められた発行操作を行った場合に前記記録媒体を発行する発行手段と、
遊技者が遊技機の前に着席していることに対応した着席状態であるか否かを判定する判定手段と、
予め定められた設定時間に亘って前記判定手段が前記着席状態ではないと判定している状況が発生した場合に、前記発行手段による前記記録媒体の発行を抑制する発行抑制状態を設定する抑制状態設定手段と、
前記発行抑制状態が設定された後に、予め定められた解除時間に亘って前記判定手段が前記着席状態であると判定している状況が発生した場合に、前記発行抑制状態を解除する抑制状態解除手段と、
遊技場の従業員による予め定められた設定操作に基づいて、前記設定時間及び前記解除時間のそれぞれを決定する時間決定手段と、を備えたことを特徴とする遊技場用システム。
【請求項２】
遊技機にて遊技を行っている遊技者を撮像可能な撮像手段を備え、
前記判定手段は、前記撮像手段の撮像結果に基づいて前記着席状態であるか否かを判定することを特徴とする請求項１に記載の遊技場用システム。
【請求項３】
前記撮像手段の撮像結果に基づいて遊技者を識別する遊技者識別手段と、
前記遊技者識別手段が識別した遊技者の情報と、当該遊技者の遊技結果の情報とを対応付けて管理する遊技者管理手段と、を備えたことを特徴とする請求項２に記載の遊技場用システム。
【請求項４】
前記撮像手段の撮像結果を表示すると共に、当該撮像結果における前記判定手段が遊技者を検出していると判定している範囲、及び前記遊技者識別手段が遊技者を識別している範囲をそれぞれ表示する撮像結果表示手段を備えたことを特徴とする請求項３に記載の遊技場用システム。
【請求項５】
遊技に使用する遊技価値の大きさを特定可能な情報を記録した記録媒体を受け付ける受付手段と、
遊技者が予め定められた発行操作を行った場合に前記記録媒体を発行する発行手段と、
遊技者が遊技機の前に着席していることに対応した着席状態であるか否かを判定する判定手段と、
予め定められた設定時間に亘って前記判定手段が前記着席状態ではないと判定している状況が発生した場合に、前記発行手段による前記記録媒体の発行を抑制する発行抑制状態を設定する抑制状態設定手段と、
前記発行抑制状態が設定された後に、予め定められた解除時間に亘って前記判定手段が前記着席状態であると判定している状況が発生した場合に、前記発行抑制状態を解除する抑制状態解除手段と、
遊技場の従業員による予め定められた設定操作に基づいて、前記設定時間及び前記解除時間のそれぞれを決定する時間決定手段と、を備えたことを特徴とする遊技用装置。
【発明の詳細な説明】
【技術分野】
【０００１】
本発明は遊技場用システム及び遊技用装置に関する。
【背景技術】
【０００２】
遊技場では、遊技者が遊技を行って獲得した玉を計数し、その計数結果を特定可能な情報を遊技者が携帯可能なＩＣカード（記録媒体）に記録している。遊技者は、その計数結果を記録したＩＣカードを遊技機に併設した貸出装置に挿入することで、計数結果を対価として玉を払い出し、遊技を行うことが可能である。そして、遊技を終了する際には、発行操作を行うことでＩＣカードを発行し、計数結果の玉数に応じた景品に交換することが可能である。
【０００３】
発行操作を行うことでＩＣカードを発行する構成では、遊技者が離席する際にＩＣカードを回収し忘れると、他の遊技者（不正行為者）によりＩＣカードの発行操作が行われ、ＩＣカードが盗難されてしまう。このような事情から、例えば特許文献１には、遊技者を撮像した画像からＩＣカードを使用している遊技者が変化していないか否かを監視する技術が開示されている。
【先行技術文献】
【特許文献】
【０００４】
【特許文献１】特開２０１４−２３７７０号公報
【発明の概要】
【発明が解決しようとする課題】
【０００５】
しかしながら、特許文献１に開示されている技術では、盗難を特定することはできるが、盗難を未然に抑制する効果は十分に得られない虞がある。
【０００６】
本発明は、上記した事情に鑑みてなされたものであり、その目的は、記録媒体の盗難を適切に抑制することができる遊技場用システム及び遊技用装置を提供することにある。
【課題を解決するための手段】
【０００７】
請求項１に記載した発明によれば、記録媒体を回収し忘れて遊技者が離席し、不正行為者が記録媒体を盗難しようとする場合には、不正行為者はその場を素早く離れるために着席せずに発行操作を行うことが考えられる。この点に関し、予め定められた設定時間に亘って着席状態を検出していない場合には記録媒体の発行を抑制するようにしたので、記録媒体の盗難を適切に抑制することができる。又、着席状態を検出していない場合に記録媒体の発行を抑制するための基準となる設定時間、及び着席状態を検出している場合に記録媒体の発行の抑制を解除するための基準となる解除時間を、遊技場の従業員による予め定められた設定操作に基づいて設定するようにしたので、セキュリティの度合いを遊技場側で望むものにし易くすることができる。
【図面の簡単な説明】
【０００８】
【図１】一実施形態の遊技場用システムの全体構成を示す図
【図２】機能ブロック図
【図３】管理装置における台端末設定画面を示す図
【図４】受付情報監処理を示すフローチャート
【図５】撮像結果の画像を示す図（その１）
【図６】撮像結果の画像を示す図（その２）
【図７】着席状態監視処理を示すフローチャート
【図８】貸出装置における画面の変化を示す図
【図９】管理装置におけるカメラ映像確認画面を示す図
【図１０】管理装置における拡大映像確認画面を示す図
【発明を実施するための形態】
【０００９】
以下、本発明の一実施形態について図面を参照して説明する。
図１は、遊技場用システムの全体構成を概略的に示している。遊技場内には多数の遊技機１が設置されており、各遊技機１に対応して貸出装置２（遊技用装置に相当する）及び情報表示装置３が設置されている。これら遊技機１、貸出装置２及び情報表示装置３は、中継装置４と接続されている。中継装置４は、ＬＡＮ５を介して管理装置６と接続されている。遊技場にはＰＯＳ７や残高精算機８も設置されている。ＰＯＳ７及び残高精算機８も、ＬＡＮ５を介して管理装置６と接続されている。
【００１０】
管理装置６は、遊技場内の例えば事務室等に設置されており、遊技場の管理者が操作するキーボード９ａ、モニタ９ｂ（撮像結果表示手段に相当する）、プリンタ（図示せず）等が接続されている。管理装置６は、遊技機側（遊技機１、貸出装置２等）から送信される遊技信号を受信し、遊技機１、貸出装置２等の稼動状況を管理すると共に、遊技者毎の遊技情報を記憶管理する。尚、図１では図示を省略したが、実際には例えば数百台の遊技機１が管理装置６の管理対象となっている。
【００１１】
ＰＯＳ７は、遊技場内の景品交換カウンタに設けられており、遊技場の従業員により操作される。ＰＯＳ７は、カードリーダ（図示せず）を付属しており、遊技者が所有するＩＣカード１０（記録媒体に相当する）を当該カードリーダにより受け付けると、その受け付けたＩＣカード１０に記録されている持玉に基づいて景品交換を行う。残高精算機８は、カードリーダ（図示せず）を付属しており、ＩＣカード１０を当該カードリーダにより受け付けると、その受け付けたＩＣカード１０に記録されている残高の返却を行う。ＩＣカード１０に記録されている持玉及び残高は、遊技機１における遊技に使用する遊技価値の大きさを特定可能な情報である。
【００１２】
遊技機１は、ＣＲパチンコ機であり、盤面１１に玉を発射する発射装置を構成する操作ハンドル１２、上部受皿１３、下部受皿１４を有すると共に、盤面１１に、液晶表示部１５、普図入賞口１６、第１始動口１７、第２始動口１８、大入賞口１９等を有する。又、遊技機１は、上部受皿１３の上面に、遊技者が操作可能（押下可能）な貸出釦２０及び発行釦２１を有する。
【００１３】
遊技機１は、以下に示す動作を行う。
（１）第１始動口１７は入賞率が変動しない入賞口（所謂ヘソ入賞口）であり、第２始動口１８は入賞率が変動する入賞口（所謂電チュー）である。各始動口１７、１８への入賞（始動入賞）に応じて大当り抽選を行い、抽選結果を液晶表示部１５にて行う図柄変動にて報知し、その変動結果に応じて大当りとなる。
【００１４】
（２）図柄変動中に始動入賞した場合には所定の保留上限値（例えば各４つ）まで図柄変動を累積的に保留し、図柄変動終了後に保留している図柄変動を開始する。尚、保留している図柄変動数（保留数）が上限値である状態で始動入賞した場合、図柄変動は保留されない。
【００１５】
（３）大当り抽選の当選確率（大当り確率）は１／３６０であり、大当りがその後確変状態（確変）となる大当り（確変大当り）となる割合である確変率は（通常状態、確変状態共に）６６．６％である。大当りが発生すると１５ラウンド（Ｒ）分だけ大入賞口１９を開放する。１Ｒの上限入賞数は１０玉、上限開放時間は３０秒であり、上限入賞数又は上限開放時間の何れかが満たされた場合に１Ｒを終了する。
【００１６】
（４）確変中は大当り確率が１／３１に向上すると共に、第２始動口１８への入賞率が高くなる時短状態（時短）になる。尚、確変は次回大当りまで継続するので、大当り後に大当りでも確変でもない状態である通常遊技状態（通常状態）となる大当り（通常大当り）が発生するまで継続し、その後は所定数（例えば１００回）の図柄変動を行うまで時短状態となる。
【００１７】
（５）第２始動口１８は普図入賞口１６への入賞に応じて変動する普通図柄（普図）が当りとなった場合に入賞率の高い開放状態となる。この場合、普図１回の変動時間は通常状態では３０秒であり時短状態では３秒となる。又、開放時間は通常状態では０．３秒であり時短状態では５秒となる。即ち、時短状態では通常状態と比較して普図変動時間が短くなる一方、開放時間は長くなることで第２始動口１８の入賞率が高くなる。
【００１８】
遊技機１及び当該遊技機１に付設されている周辺機器は、遊技者による玉の打込みや各始動口１７、１８への始動入賞等の遊技の進行に伴って、以下に示す遊技信号を送信する。
【００１９】
アウト信号＝消費玉を回収するアウトＢＯＸから送信される消費価値（アウト）を特定可能な信号である。消費（使用、打込、回収）玉１０玉に対して１パルスが送信されるので、「アウト信号数×１０」をアウトとして特定する。尚、遊技機１から送信される信号でも良い。
【００２０】
セーフ信号＝遊技機１から送信される入賞付与価値（セーフ）を特定可能な信号である。払出（付与）玉１０玉に対して１パルスが送信されるので、「セーフ信号数×１０」をセーフとして特定する。尚、補給装置から送信される補給信号をセーフ信号としても良い。
【００２１】
始動信号＝遊技機１から送信される始動入賞により変動（作動）する液晶表示部１５（役物）におけるスタート処理（図柄変動、役物作動、単位遊技）を特定可能な信号である。図柄変動確定時に送信されるので、始動信号の受信に応じてスタート処理を特定し、「始動信号×１」をスタート（スタート処理数）として特定する。尚、始動入賞を示す信号としても良い。
【００２２】
大当り信号＝遊技機１から送信される大当り期間を特定可能な信号である。大当り中にレベル送信される状態信号であるので、大当り信号の受信中を大当り中として特定する。
特別状態信号＝遊技機１から送信される特別状態（甘中）を特定可能な信号である。第２始動口１８の入賞率が向上する特別状態中（時短中）にレベル送信される状態信号であるので、特別状態信号の受信中を特別状態中として特定する。尚、大当り確率が向上する確変中にレベル送信される状態信号（確変信号）であっても良い。又、大当り信号と特別状態信号の何れも受信していない期間を通常状態として特定する。
【００２３】
貸出装置２は、所謂各台計数機能付きの貸出装置であり、遊技機１の遊技状態を示す状態表示部２２、貨幣が投入される貨幣投入口２３、遊技者からの操作入力を受け付けると共に遊技の進行に伴ってスタート回数や大当り確率等の遊技情報を表示するタッチパネル式の液晶表示部２４、持玉及び貯玉を払い出すための払出釦２５、払い出された玉が通過する払出ノズル２６、ＩＣカード１０が挿入される（ＩＣカード１０を受け付ける）カード挿入口２７（受付手段、発行手段に相当する）、遊技機１の下部受皿１４の下方に位置する着脱可能な計数受皿２８、遊技者を撮像可能なカメラ２９（撮像手段に相当する）等を有する。カメラ２９は、例えば周知のＣＭＯＳセンサやＣＣＤセンサ等の撮像素子を含んで構成され、貸出装置２に対応する遊技機１の前方（正面）を撮像視野として所定周期毎に（例えば４秒毎に）撮像する。即ち、カメラ２９は、遊技機１の前方に遊技者が着席していれば、その遊技者の顔を含む領域を所定周期毎に撮像する。尚、カメラ２９は、遊技者の顔を撮像していることを当該遊技者に意識させないように、その存在を遊技者が認識不能に搭載されていても良い。
【００２４】
貸出装置２は、図２に示すように、制御部３０（受付手段、発行手段に相当する）、中継装置４との間で各種信号や各種情報を送受信する送受信部３１を有する。制御部３０は、ＣＰＵ、ＲＯＭ、ＲＡＭ、Ｉ／Ｏを有するマイクロコンピュータにより構成され、記憶しているコンピュータプログラムにしたがって以下に示す動作を行う。
【００２５】
（１）貨幣が貨幣投入口２３に投入されたことで、貨幣を受け付けると、遊技機１と貸出装置２との双方において入金額を残高に加算して表示する。残高がある状態で遊技機１の貸出釦２０が操作されると、１回の貸出単位分（例えば５００円）の貸出玉（例えば貸単価４円であれば１２５玉、貸単価１円であれば５００玉）を遊技機１内部の払出機構から払い出し、その対価分を残高から減算すると共に売上信号を送信する。尚、玉の払い出しを貸出装置２により行っても良い。
【００２６】
（２）遊技機１の下部受皿１４が操作された（開放された）ことで、下部受皿１４から落下した玉を計数受皿２８で受けると、その受けた玉を持玉（計数玉）として計数して液晶表示部２４に表示する。持玉がある状態で貸出装置２の払出釦２５が操作されると、持玉の一部を遊技機１内部の払出機構から払い出し、その払い出し分を持玉数から減算する。尚、この場合も、玉の払い出しを貸出装置２により行っても良い。
【００２７】
（３）ＩＣカード１０がカード挿入口２７に挿入されると（ＩＣカード１０を受け付けると）、自装置を特定可能な情報（貸出装置ＩＤ）、その受け付けたＩＣカード１０を特定可能な情報（カードＩＤ）等を含む受付情報を管理装置６に送信する。
【００２８】
（４）残高又は持玉がある状態で遊技機１の発行釦２１が操作されると、ＩＣカード１０の発行が抑制されている発行抑制状態でなければ（発行抑制状態が解除されていれば）、残玉及び持玉を特定可能なＩＣカード１０を発行し（ＩＣカード１０の発行を抑制せず）、一方、発行抑制状態であれば（発行抑制状態が設定されていれば）、ＩＣカード１０を発行しない（ＩＣカード１０の発行を抑制する）。ＩＣカード１０がカード挿入口２７に挿入されている状態で発行釦２１が操作されたときに発行抑制状態でなければ、そのカード挿入口２７に挿入されているＩＣカード１０に残高及び持玉の情報を記録して発行する。ＩＣカード１０がカード挿入口２７に挿入されていない状態で発行釦２１が操作されたときに発行抑制状態でなければ、カードストック部（図示せず）にストックしているＩＣカード１０をカード挿入口２７に繰り出して残高及び持玉を記録して発行する。ＩＣカード１０を発行すると、自装置を特定可能な情報、発行したＩＣカード１０を特定可能な情報、ＩＣカード１０に記録した残高及び持玉の情報等を含む発行情報を管理装置６に送信する。尚、残高や持玉の一部を発行対象とする分割発行を可能としても良い。
【００２９】
（５）カメラ２９が撮像する毎に、自装置を特定可能な情報、その撮像した画像を含む撮像信号を管理装置６に送信する。
情報表示装置３は、各種の遊技情報（スタート回数、大当りの発生回数等）を表示する情報表示部３２、遊技場の従業員を呼び出すときに遊技者が操作する呼出釦や情報表示部３２が表示する遊技情報を切り替えるときに遊技者が操作する切替釦等を含む操作部３３、遊技場の従業員が所持する操作リモコン３５からリモコン信号を受信する受光部３４等を有する。
【００３０】
管理装置６は、図２に示すように、制御部３６、中継装置４との間で各種信号や各種情報を送受信する送受信部３７、貸出装置２のカメラ２９から受信した撮像信号から画像を抽出して分析する画像処理部３８を有する。制御部３６は、本発明に関連し、判定部３６ａ（判定手段に相当する）、抑制状態設定部３６ｂ（抑制状態設定手段に相当する）、抑制状態解除部３６ｃ（抑制状態解除手段に相当する）、時間決定部３６ｄ（時間決定手段に相当する）、遊技者識別部３６ｅ（遊技者識別手段に相当する）、遊技者管理部３６ｆ（遊技者管理手段に相当する）を有する。
【００３１】
制御部３６は、ＣＰＵ、ＲＯＭ、ＲＡＭ、Ｉ／Ｏを有するマイクロコンピュータにより構成され、記憶しているコンピュータプログラムにしたがって以下に示す動作を行う。
（１）遊技機１側から遊技信号（アウト信号、セーフ信号、始動信号、大当り信号等）や貸出装置２から売上信号を受信すると、遊技機１の遊技情報（アウト、セーフ、スタート回数、大当りの発生回数等）を集計したり売上情報を算出したりし、それらの遊技情報や売上情報を記憶管理する。
【００３２】
（２）遊技機１からのアウト信号の受信状態に基づいてアウトが発生している状態を稼動状態と判定し、アウトが発生していない状態を非稼動状態と判定する。即ち、アウトの発生を最後に検出した時点から所定時間の経過を検出する前に次のアウトの発生を検出した場合に稼動状態と判定し、アウトの発生を最後に検出した時点から次のアウトの発生を検出する前に所定時間の経過を検出した場合に非稼動状態と判定する。
【００３３】
（３）貸出装置２から受付情報を受信することで、ＩＣカード１０が挿入されている貸出装置２を特定し、ＩＣカード１０が挿入されていると特定した貸出装置２から受信する撮像信号から画像を抽出して画像処理部３８により分析し、複数の特徴部位（例えば目、鼻、口の３ケ所）を撮像しているか否かを判定する。複数の特徴部位を撮像していれば、遊技者の顔を撮像できていると判定し、遊技者個人を識別可能であると判定する。
【００３４】
（４）遊技者個人を識別可能であると判定すると、遊技者の顔画像を特定し、その特定した顔画像に対して複数の特徴部位の形状等を数値化し、その数値化したデータ（数値化データ、撮像結果から特定した情報）と、当日の顔画像データベースに既に登録されている顔画像（照合用の顔画像）の数値化データとを照合し、同一人物であるか否かを判定する。数値化データの一致率が所定値未満であると判定すると、その顔画像が未だ顔画像データベースに登録されていない顔画像であり、その顔画像に対応する遊技者を新規の遊技者であると判定して顔画像ＩＤを付与し、その顔画像ＩＤと、遊技機１側から受信する遊技信号により特定される遊技情報や貸出装置２から受信する売上信号により特定される売上情報とを対応付けて管理する。一方、数値化データの一致率が所定値以上であると判定すると、その顔画像が既に顔画像データベースに登録されている顔画像であり、その顔画像に対応する遊技者を既存の遊技者であると判定して当該顔画像ＩＤに対応付けている遊技情報や売上情報を更新する。
【００３５】
（５）複数の特徴部位を撮像していなければ、遊技者の顔を撮像できていないと判定し、遊技者個人を識別不能であると判定する。
（６）遊技者個人を識別不能であると判定すると、顔画像ＩＤを付与しない。これは、遊技者個人を識別不能であると判定した状態で顔画像ＩＤを付与してしまうと、顔画像ＩＤを付与したことで、顔画像を特定していない遊技者を全て同一人物と判定したり同一人物を顔が特定できた場合と特定できなかった場合とで別人物と判定して実際の遊技者の数よりも顔画像ＩＤを多く付与してしまったりする等の虞があることを想定し、そのような虞を軽減するためである。
【００３６】
尚、本実施形態では、管理装置６が画像処理を行う構成を例示しているが、管理装置６の処理負荷を軽減させる（処理負荷を分散させる）ために、画像処理を専用で行う画像処理装置を管理装置６とは別に設け、その管理装置６とは別に設けた画像処理装置において、貸出装置２から受信した撮像信号から画像を抽出して分析し、その分析結果を管理装置６に送信する構成でも良い。
【００３７】
さて、［背景技術］で記載したように、遊技場では、ＩＣカード１０の盗難を抑制することが望まれている。この点に鑑み、管理装置６は前述した（１）〜（６）に加え、以下に示す動作を行う。
【００３８】
（７）貸出装置２から受付情報を受信することで、ＩＣカード１０が挿入されている貸出装置２を特定し、ＩＣカード１０が挿入されていると特定した貸出装置２から受信する撮像信号に基づいて当該貸出装置２に対応する遊技機１の前方に遊技者が着席しているか否かを判定する（着席状態であるか否かを判定する）。具体的には、撮像信号から人体を撮像しているか否かにより着席状態であるか否かを判定する。頭部の輪郭（予め定められた遊技者の頭部を特定するための情報であり、例えば略円形状、楕円形状の物体を撮像している場合に頭部を撮像していると判定する）と、頭部の下の胴体部の輪郭（予め定められた遊技者の胴体を特定するための情報であり、頭部の下部において、略円柱形状、楕円形状の物体を撮像している場合に胴体を撮像していると判定する）との両方を検出できていれば、人体を撮像していると判定し、着席状態であると判定する。一方、頭部の輪郭及び胴体部の輪郭のうち一方でも検出できていなければ、人体を撮像していないと判定し、着席状態ではない（非着席状態である）と判定する。
【００３９】
（８）着席状態ではないと判定すると、その着席状態ではない状態が予め定められた設定時間に亘って継続したか否かを判定し、予め定められた設定時間に亘って着席状態ではないと判定すると、その貸出装置２に対して発行抑制設定信号を送信し、ＩＣカード１０の発行を抑制する発行抑制状態を設定する。又、貸出装置２に対して発行抑制状態を設定した後に、着席状態であると判定すると、その着席状態である状態が予め定められた解除時間に亘って継続したか否かを判定し、予め定められた解除時間に亘って着席状態であると判定すると、その貸出装置２に対して発行抑制解除信号を送信し、発行抑制状態を解除する。発行抑制設定信号や発行抑制解除信号の送信先の貸出装置２を管理することで、発行抑制状態を設定しているか解除しているかを貸出装置２毎に管理する。
【００４０】
このような遊技者の着席状態に応じてＩＣカード１０の発行を抑制する機能は人体ロック機能であり、遊技場の従業員は、管理装置６において人体ロック機能に関する各種設定を行うことができ、カメラ異常検出機能やＬＥＤ照度調節機能に関する各種設定も行うことができる。図３は、人体ロック機能、カメラ異常検出機能、ＬＥＤ照度調節機能に関する各種設定の設定項目を遊技場の従業員が設定可能な台端末設定画面を示しており、台端末設定画面では、人体ロック機能設定部Ｍ１、カメラ異常検出機能設定部Ｍ２、ＬＥＤ照度調節機能設定部Ｍ３が設けられている。即ち、遊技場の従業員は、これらの機能設定部Ｍ１〜Ｍ３において設定項目を設定することで、ＩＣカード１０の発行の抑制、カメラ２９の異常検出、ＬＥＤの照度調節を可能となっている。
【００４１】
人体ロック機能に関する各種設定の設定項目は以下の通りである。
機能使用＝「有」、「無」の何れかを設定可能であり、人体ロック機能の有効／無効を示す。「有」が設定されていれば、人体ロック機能が有効となり、ＩＣカード１０の発行を抑制可能となる。「無」が設定されていれば、人体ロック機能が無効となり、ＩＣカード１０の発行を抑制可能とならない。
【００４２】
累積アウト補正＝「有」、「無」の何れかを設定可能であり、非着席状態でも一定時間（例えば１分）の累積アウトを監視し、その一定時間内でアウトが変化している場合に遊技中と判定するか否かを示す。「有」が設定されていれば、非着席状態でも一定時間内でアウトが変化しているときに人体ロックの機能が無効となり、「無」が設定されていれば、アウトが変化しているか否かに関係なく人体ロック機能が有効となる。
【００４３】
ロック時間＝「０」〜「９９９」の数値を入力して秒単位で設定可能であり、非着席状態を検出してから発行抑制状態を設定するまでの時間を示し、設定時間に対応する。即ち、発行抑制状態を設定していない状態では、ロック時間に亘って遊技者が遊技機１の前に着席していない状態が継続すると、発行抑制状態を設定してＩＣカード１０の発行を不能とする。ロック時間を設定する操作は、設定時間を決定するための遊技場の従業員による予め定められた設定操作である。尚、図３では、ロック時間を「１０」秒に設定している場合を例示している。
【００４４】
ロック解除時間＝「０」〜「９９９」の数値を入力して秒単位で設定可能であり、着席状態を検出してからＩＣカード１０の発行抑制状態を解除するまでの時間を示し、解除時間に対応する。即ち、発行抑制状態を設定している状態では、ロック解除時間に亘って遊技者が遊技機１の前に着席している状態が継続すると、発行抑制状態を解除してＩＣカード１０の発行を可能とする。ロック解除時間を設定する操作は、解除時間を決定するための遊技場の従業員による予め定められた設定操作である。尚、図３では、ロック解除時間を「１０」秒に設定している場合を例示している。
【００４５】
カメラ異常検出機能に関する各種設定の設定項目は以下の通りである。
カメラ異常検出＝「有」、「無」の何れかを設定可能であり、カメラ異常を検出して報知を行うか否かを示す。具体的には、「有」が設定されていれば、アウトが変化しているときに遊技者を検出不能な状態の頻度が予め定められた設定値（例えば８０％）以上になると、カメラ異常の報知を行う。
【００４６】
ＬＥＤ照度調節機能に関する各種設定の設定項目は以下の通りである。
機能使用＝「有」、「無」の何れかを設定可能であり、ＬＥＤ照度調節機能の有効／無効を示す。「有」が設定されていれば、ＬＥＤ照度調節機能が有効となり、メニュー画面に「ＬＥＤ明るさ調節」釦が表示され、遊技者がＬＥＤ照度を調節可能となる。「無」が設定されていれば、ＬＥＤ照度調節機能が無効となり、メニュー画面に「ＬＥＤ明るさ調節」釦が表示されず、遊技者がＬＥＤ照度を調節可能とならない。
【００４７】
デフォルト照度への復帰＝「有」、「無」の何れかを設定可能であり、客交代（ＩＣカード１０の抜き差し）を検出した場合にＬＥＤ照度をデフォルトに戻すか否かを示す。「有」が設定されていれば、客交代を検出した場合にＬＥＤ照度をデフォルトに戻し、「無」が設定されていれば、客交代を検出した場合でもＬＥＤ照度をデフォルトに戻さない。
【００４８】
次に、上記した構成の作用について図４から図１０を参照して説明する。
管理装置６は、本発明に関連し、顔画像特定処理及び着席状態監視処理を所定周期で定期的に実行する。以下、顔画像特定処理及び着席状態監視処理について順次説明する。
【００４９】
（１）顔画像特定処理
図４に示すように、管理装置６は、所定周期（例えば１００ミリ秒周期）の顔画像特定処理の開始タイミングになると、顔画像特定処理を開始し、何れかの貸出装置２から受付情報を受信したか否かを判定する（Ｓ１）。管理装置６は、何れかの貸出装置２から受付情報を受信したと判定すると（Ｓ１：ＹＥＳ）、その受付情報に含まれている貸出装置ＩＤに基づいて当該受付情報の送信元の貸出装置２を特定し（Ｓ２）、その受付情報の送信元として特定した貸出装置２から受信している撮像信号に基づいて遊技者個人を識別可能であるか否かを判定する（Ｓ３）。尚、ここでは、ＩＣカード１０がカード挿入口２７に挿入され、何れかの貸出装置２から受付情報を受信したときに、受付情報の送信元として特定した貸出装置２から受信している撮像信号に基づいて遊技者個人を識別可能であるか否かを判定することを例示しているが、遊技者がＩＣカード１０を所持していない状態で遊技を開始し、現金の投入や玉の計数によりＩＣカード１０を発行可能になったことを示す情報を受付情報として貸出装置２から受信した場合にも、その情報の送信元として特定した貸出装置２から受信している撮像信号に基づいて遊技者個人を識別可能であるか否かを判定しても良い。
【００５０】
管理装置６は、受付情報の送信元として特定した貸出装置２から受信している撮像信号に基づいて遊技者の顔の複数の特徴部位を撮像していれば、遊技者個人を識別可能であると判定し（Ｓ３：ＹＥＳ）、遊技者の顔画像を特定し（Ｓ４）、その特定した顔画像に対して複数の特徴部位の形状等を数値化し、その数値化したデータ（数値化データ）と、当日の顔画像データベースに既に登録されている顔画像（照合用の顔画像）の数値化データとを照合し、同一人物であるか否かを判定する（Ｓ５）。
【００５１】
管理装置６は、数値化データの一致率が所定値未満であると判定し、その顔画像が未だ顔画像データベースに登録されていない顔画像であると判定すると（Ｓ５：ＮＯ）、その顔画像に対応する遊技者を新規の遊技者であると判定して顔画像ＩＤを付与し（Ｓ６）、その顔画像ＩＤと遊技情報や売上情報とを対応付けて管理する（Ｓ７）。即ち、管理装置６は、受付情報の送信元として特定した貸出装置２に対応する遊技機１側から受信する遊技信号（アウト信号、セーフ信号、始動信号、大当り信号、特別状態信号）に基づいて遊技情報（アウト、セーフ、スタート処理、大当り状態、特別状態等）を特定すると共に、その貸出装置２から受信する売上信号に基づいて売上情報（売上金額や売上玉）を特定し、新規に付与した顔画像ＩＤと、このようにして特定した遊技情報や売上情報とを対応付けて管理し、顔画像特定処理を終了する。この顔画像ＩＤと遊技情報や売上情報とを対応付けて管理することは、遊技者の情報と当該遊技者の遊技結果の情報とを対応付けて管理することに相当する。
【００５２】
一方、管理装置６は、数値化データの一致率が所定値以上であると判定し、その顔画像が既に顔画像データベースに登録されている顔画像であると判定すると（Ｓ５：ＹＥＳ）、その顔画像に対応する遊技者を既存の遊技者であると判定して当該顔画像ＩＤに対応付けている遊技情報や売上情報を更新する（Ｓ８）。即ち、管理装置６は、受付情報の送信元として特定した貸出装置２に対応する遊技機１側から受信する遊技信号（アウト信号、セーフ信号、始動信号、大当り信号、特別状態信号）に基づいて遊技情報（アウト、セーフ、スタート処理、大当り状態、特別状態等）を特定すると共に、その貸出装置２から受信する売上信号に基づいて売上情報（売上金額や売上玉）を特定し、このようにして特定した遊技情報や売上情報を、既に付与している顔画像ＩＤに対応付けている遊技情報や売上情報に上書きすることで、顔画像ＩＤに対応付けている遊技情報や売上情報を更新し、顔画像特定処理を終了する。この顔画像ＩＤに対応付けている遊技情報や売上情報を更新することも、遊技者の情報と当該遊技者の遊技結果の情報とを対応付けて管理することに相当する。即ち、図５に示すように、管理装置６は、撮像結果の画像として目、鼻、口の３ケ所の全てを撮像した画像を取得している場合には、遊技者個人を識別可能であるので、遊技者の顔画像を特定し、顔画像ＩＤと遊技情報や売上情報とを対応付けて管理したり顔画像ＩＤに対応付けている遊技情報や売上情報を更新したりする。
【００５３】
一方、管理装置６は、受付情報の送信元として特定した貸出装置２から受信している撮像信号に基づいて遊技者の顔の複数の特徴部位を撮像していなければ、遊技者個人を識別不能であると判定し（Ｓ３：ＮＯ）、遊技者の顔画像を特定せず、顔画像特定処理を終了する。即ち、図６に示すように、管理装置６は、撮像結果の画像として遊技者がマスク及びサングラスを着用しているために鼻のみを撮像した画像を取得している場合には、遊技者個人を識別不能であるので、遊技者の顔画像を特定せず、顔画像ＩＤと遊技情報や売上情報とを対応付けて管理せず、顔画像ＩＤに対応付けている遊技情報や売上情報を更新しない。
【００５４】
（２）着席状態監視処理
図７に示すように、管理装置６は、所定周期（例えば１００ミリ秒周期）の着席状態監視処理の開始タイミングになると、着席状態監視処理を開始し、何れかの貸出装置２から受付情報を受信したか否かを判定する（Ｓ１１）。管理装置６は、何れかの貸出装置２から受付情報を受信したと判定すると（Ｓ１１：ＹＥＳ）、その受付情報に含まれている貸出装置ＩＤに基づいて当該受付情報の送信元の貸出装置２を特定し（Ｓ１２）、その受付情報の送信元として特定した貸出装置２から受信している撮像信号に基づいて当該貸出装置２に対応する遊技機１の前方に遊技者が着席しているか否かを判定し、着席状態であるか否かを判定する（Ｓ１３）。
【００５５】
管理装置６は、受付情報の送信元として特定した貸出装置２に対応する遊技機１の前方に遊技者が着席しておらず、非着席状態であると判定すると（Ｓ１３：ＮＯ）、その特定した貸出装置２に対して発行抑制状態を設定しているか否かを判定する（Ｓ１４）。管理装置６は、その特定した貸出装置２に対して発行抑制状態を設定していると判定すると（Ｓ１４：ＹＥＳ）、発行抑制状態の設定を継続し、着席状態監視処理を終了する。
【００５６】
一方、管理装置６は、その特定した貸出装置２に対して発行抑制状態を設定していないと判定すると（Ｓ１４：ＮＯ）、前述したロック時間に亘って非着席状態であるか否かを判定する（Ｓ１５）。管理装置６は、ロック時間に亘って非着席状態ではないと判定すると（Ｓ１５：ＮＯ）、該当する貸出装置２に発行抑制設定信号を送信せず、即ち、該当する貸出装置２に対して発行抑制状態を設定せずに着席状態監視処理を終了する。即ち、該当する貸出装置２では、これ以降に遊技機１の発行釦２１が操作されると、ＩＣカード１０を発行する。
【００５７】
一方、管理装置６は、ロック時間に亘って非着席状態であると判定すると（Ｓ１５：ＹＥＳ）、該当する貸出装置２に発行抑制設定信号を送信し、該当する貸出装置２に対して発行抑制状態を設定し（Ｓ１６）、着席状態監視処理を終了する。即ち、該当する貸出装置２では、これ以降に遊技機１の発行釦２１が操作されても、ＩＣカード１０の発行を抑制する。尚、この場合、発行抑制状態が設定された貸出装置２は、図８に示すように、発行釦２１が操作されてもＩＣカード１０を発行せずに、ＩＣカード１０の発行を抑制中であることを告知する「返却制限中」という告知メッセージを表示し、告知メッセージを表示してから一定時間が経過すると、告知メッセージを消去する。
【００５８】
又、管理装置６は、受付情報の送信元として特定した貸出装置２に対応する遊技機１の前方に遊技者が着席しており、着席状態であると判定すると（Ｓ１３：ＹＥＳ）、その特定した貸出装置２に対して発行抑制状態を解除しているか否かを判定する（Ｓ１７）。管理装置６は、その特定した貸出装置２に対して発行抑制状態を解除していると判定すると（Ｓ１７：ＹＥＳ）、発行抑制状態の解除を継続し、着席状態監視処理を終了する。
【００５９】
一方、管理装置６は、その特定した貸出装置２に対して発行抑制状態を解除していないと判定すると（Ｓ１７：ＮＯ）、前述したロック解除時間に亘って着席状態であるか否かを判定する（Ｓ１８）。管理装置６は、ロック解除時間に亘って着席状態であると判定すると（Ｓ１８：ＹＥＳ）、該当する貸出装置２に発行抑制解除信号を送信し、該当する貸出装置２に対して発行抑制状態を解除し（Ｓ１９）、着席状態監視処理を終了する。即ち、該当する貸出装置２では、これ以降に遊技機１の発行釦２１が操作されると、ＩＣカード１０を発行する。
【００６０】
一方、管理装置６は、ロック解除時間に亘って着席状態ではないと判定すると（Ｓ１８：ＮＯ）、該当する貸出装置２に発行抑制解除信号を送信せず、即ち、該当する貸出装置２に対して発行抑制状態を解除せず、着席状態監視処理を終了する。即ち、該当する貸出装置２では、これ以降に遊技機１の発行釦２１が操作されても、ＩＣカード１０の発行を抑制する。
【００６１】
このように発行釦２１が操作されたときに遊技者が着席していなければ、遊技機１で遊技していない人物、即ち、ＩＣカード１０を盗もうと考える人物（不正行為者）が発行釦２１を操作した可能性が高いので、ＩＣカード１０の発行を抑制することで、ＩＣカード１０の盗難を抑制することができる。
【００６２】
又、貸出装置２は、このようにして発行抑制状態を設定すると、その後、発行抑制状態を設定している状態で発行釦２１が操作されると、発行エラー画面を液晶表示部２４に表示し、ＩＣカード１０の発行を抑制していること及び遊技場の従業員の呼び出しを促すことを報知する。このとき、貸出装置２は、発行抑制状態を設定している状態で発行釦２１が操作されたことを盗難未遂情報として管理装置６に送信し、管理装置６は、貸出装置２から盗難未遂情報を受信すると、その旨を例えばインカム等により遊技場の従業員に報知しても良い。又、カメラ２９が故障していることも想定されるので、貸出装置２は、遊技場の従業員が操作リモコン３５を操作したことで、操作リモコン３５から送信された解除指令信号が受光部３２に受信されることで、発行抑制状態を解除しても良い。
【００６３】
ところで、ＩＣカード１０の発行を一時的に抑制する方法としては、上記した着席状態であるか否かの判定結果を利用する方法の他に、暗証番号を操作入力する方法、フェリカ機能を有する（フェリカチップを実装した）携帯端末を利用する方法、セーフモード機能を利用する方法がある。即ち、人体ロック機能とは別の独立した機能として、暗証番号を操作入力する方法、フェリカ機能を有する携帯端末を利用する方法、セーフモード機能を利用する方法がある。暗証番号を操作入力する方法では、遊技者は、暗証番号の操作入力画面を貸出装置２の液晶表示部２４に表示させた上で、任意の暗証番号を操作入力画面にて操作入力することで、発行抑制状態を設定することができる。フェリカ機能を有する携帯端末を利用する方法では、携帯端末を貸出装置２の非接触通信部に翳して非接触通信を成立させることで、発行抑制状態を設定することができる。セーフモード機能を利用する方法では、稼動（例えばアウト）を検出していない非稼動状態が予め定められた非稼動検出時間に亘って継続すると、発行抑制状態を設定することができる。
【００６４】
しかしながら、暗証番号を操作入力する方法では、発行抑制状態を設定する際に暗証番号を操作入力する手間があり、発行抑制状態を解除する際にも暗証番号を操作入力する手間がある。フェリカ機能を有する携帯端末を利用する方法では、発行抑制状態を設定する際に携帯端末を貸出装置２の非接触通信部に翳す手間があり、発行抑制状態を解除する際にも携帯端末を貸出装置２の非接触通信部に翳す手間がある。セーフモード機能を利用する方法では、非稼動状態が非稼動検出時間に亘って継続するまで発行抑制状態を設定することができない。
【００６５】
暗証番号を操作入力する方法やフェリカ機能を有する携帯端末を利用する方法は、遊技者の手間を必要とするので、遊技者が意図的に発行抑制状態を設定することを想定している。又、セーフモード機能を利用する方法は、発行抑制状態を設定しているときに一定の稼動（例えば１００のアウト）を検出したり遊技場の従業員が操作リモコン３５を操作したりすることで発行抑制状態を解除することを想定している。これに対し、本願のように着席状態であるか否かの判定結果を利用して発行抑制状態を設定する方法では、遊技者の手間を必要とせずに発行抑制状態を設定したり解除したりすることができ、又、一定の稼動を検出する処理を必要とせずに発行抑制状態を解除することができ、ＩＣカード１０の回収し忘れに対して適切に対処可能である。又、これらの暗証番号を操作入力する方法、フェリカ機能を有する携帯端末を利用する方法、セーフモード機能を利用する方法を、人体ロック機能と組み合わせることで、セキュリティをより高めることができる。
【００６６】
又、遊技場の従業員は、管理装置６においてカメラ２９の撮像結果を確認することができる。図９は、カメラ２９の撮像結果を遊技場の従業員が確認可能なカメラ映像確認画面を示しており、カメラ映像確認画面では、台番毎のカメラ２９の撮像結果が表示され、画像内で人体検出範囲と顔検出範囲とが識別可能に表示される。例えば１番台の画像において実線Ａ１で示す範囲が、人体検出範囲であり、着席状態であるか否かを判定するための範囲、即ち撮像結果における判定手段が遊技者を検出していると判定している範囲である。又、例えば１番台の画像において実線Ａ２で示す範囲が、顔検出範囲であり、遊技者を識別するための範囲、即ち遊技者識別手段が遊技者を識別している範囲である。他台の画像についても同様である。又、遊技機１の盤面１１に正対する正面を基準としたときの上下方向のずれに相当する角度が上下角度として表示されると共に左右方向のずれに相当する角度が左右角度として表示される。尚、図９の例示では、人体検出が正常であれば、顔検出が正常であるか異常であるかに関わらず「正常」と表示される。即ち、３番台のカメラ映像では図５に示したように遊技者個人を識別可能であり、顔検出が正常であり、一方、５番台のカメラ映像では図６に示したように遊技者個人を識別不能であり、顔検出が異常であるが、何れも人体検出が正常であれば「正常」と表示される。尚、遊技場の従業員が特定の画像を選択する操作を行うと、図１０に示すように、その選択された画像を拡大した拡大映像確認画面が表示される。図１０では、遊技場の従業員が３番台の画像を選択する操作を行った場合を例示している。又、人体検出範囲を示す線と顔検出範囲を示す線とで色や種別を異ならせることで、人体検出範囲と顔検出範囲とを容易に区分して把握することができる。
【００６７】
以上に説明したように本実施形態によれば、次に示す効果を得ることができる。
ロック時間に亘って着席状態を検出していない場合にＩＣカード１１の発行を抑制するようにしたので、ＩＣカード１１の盗難を適切に抑制することができる。又、着席状態を検出していない場合にＩＣカード１１の発行を抑制するための基準となるロック時間、及び着席状態を検出している場合にＩＣカード１１の発行の抑制を解除するための基準となるロック解除時間を、遊技場の従業員による操作に基づいて設定するようにしたので、セキュリティの度合いを遊技場側で望むものにし易くすることができる。即ち、セキュリティを高めたいと考える場合には、ロック時間を比較的短く設定すると共にロック解除時間を比較的長く設定すれば良く、セキュリティをそれほど高めなくても良いと考える場合には、ロック時間を比較的長く設定すると共にロック解除時間を比較的短く設定すれば良い。
【００６８】
又、カメラ２９の撮像結果に基づいて着席状態であるか否かを判定するようにしたので、元々は遊技者の顔画像を特定して遊技情報を管理するためのカメラ２９を利用することで、新たな構成を追加することなく、ＩＣカード１１の発行を抑制して盗難を適切に抑制することができ、既存の設備を利用して容易に実現することができる。
【００６９】
又、遊技者の顔の複数の特徴部位を撮像していれば、遊技者個人を識別可能であると判定し、顔画像ＩＤに対応付けて遊技情報や売上情報を管理するようにしたので、遊技者の管理をより詳細に行うことができる。
【００７０】
又、管理装置６のモニタ９ｂにおいて、着席状態であるか否かを判定するための範囲である人体検出範囲と、遊技者を識別するための範囲である顔検出範囲とを区分可能に表示するようにしたので、それぞれの範囲を調節することで、着席状態であるか否かの判定や遊技者の識別を適切に行うことができる。
【００７１】
本発明は、上記した実施形態にのみ限定されるものではなく、以下のように変形又は拡張することができる。又、それぞれの変形例を組み合わせても良い。
本実施形態では、遊技機１としてＣＲパチンコ機を例示したが、例えばスロットマシンを対象としても良い。又、玉が封入されており、遊技者が玉に触れることができず、クレジットや得点を消費して玉を発射する封入式のパチンコ遊技機やクレジットや得点を消費してリールが回転する等のゲームが進行する完全クレジット式のスロットマシンを対象としても良い。
【００７２】
本実施形態では、遊技用装置の一部の機能を遊技機１が備える構成を例示したが、遊技用装置の全ての機能を貸出装置２が備える構成としても良い。又、貸出装置２の外部に設けた遊技用装置の機能を任意に変更しても良く、例えばカメラ２９を遊技機１や情報表示装置３が備える構成としても良いし、顔画像や人体を特定する機能を管理装置６が備える構成としても良い。即ち、一の装置及び複数の装置の何れで遊技用装置を形成しても良い。複数の装置により遊技用装置を構成しているので、遊技用システムと言うことも可能である。
【００７３】
本実施形態では、カメラ２９を遊技機１に対して１対１で設ける構成を例示したが、カメラ２９を天井や複数の遊技機１が設置された遊技島に設けることで、１台のカメラ２９を複数の遊技機１に対して設ける構成としても良い。又、１台のカメラ２９を用い、遊技者個人を識別することと、遊技者が着席しているか否かを判定することを行う構成を例示したが、遊技者個人を識別するためのカメラと、遊技者が着席しているか否かを判定するためのカメラとを別々としても良い。即ち、カメラの位置や個数をどのような態様としても良く、遊技者が遊技機１の前に着席していることに対応した着席状態であるか否かの判定をどのような構成で行っても良い。
【００７４】
本実施形態では、頭部の輪郭と胴体部の輪郭とを検出できたか否かにより着席状態を判定する構成を例示したが、どのような方法で着席状態を判定しても良い。例えば遊技者の目等の特徴部位を撮像できたか否かを判定し、目等の特徴部位を撮像できた場合に遊技者が着席していると判定しても良い。又、遊技者の視線方向を判定し、遊技者の視線方向が遊技機１の盤面１１に向いていると特定できた場合に遊技者が着席していると判定しても良い。又、カメラ２９を用いず、温度センサ、赤外線センサ、光センサ等により人間が遊技機１の前にいるか否かを判定して遊技者が着席しているか否かを判定しても良い。即ち、着席状態の判定は実際に遊技者が着席しているか否かを判定するものだけでなく、遊技者が遊技機１の前にいることに対応した状態であるか否かを判定する等の間接的に判定するものも含まれ、実際に遊技者が着席していなくとも、着席していると見做し得る状態であれば、遊技者が遊技機１の前に着席していることに対応した着席状態であると判定しても良い。
【００７５】
本実施形態では、撮像結果の画像として目、鼻、口の３ケ所の全てを撮像した画像を取得している場合に遊技者個人を識別可能であるとして遊技者の顔画像を特定する構成を例示したが、遊技者の顔画像を特定する方法を任意に変更しても良く、例えば顔の輪郭、皮膚、耳、眉毛、ほお骨、あご、皺等の特徴から遊技者個人を識別可能であるとして遊技者の顔画像を特定しても良い。更に、遊技者の顔の撮像結果から遊技者を識別する必要はなく、遊技者の服装等から遊技者を識別しても良い。この場合、複数の特徴部位の個数が増えることで、同一人物であるか否かを判定する精度を高めることができ、顔画像ＩＤに対応付けて遊技情報や売上情報を精度良く管理することができる。
【００７６】
本実施形態では、着席状態ではないときにＩＣカード１０の発行を抑制することとしてＩＣカード１０の発行を禁止する構成を例示したが、着席状態であるときに対してＩＣカード１０の発行を抑制すれば良く、例えば着席状態であるときの発行速度よりも遅くして発行しても良く、発行を完了するまでに要するための時間が長くなれば、ＩＣカード１０を盗んで素早くその場を離れることができないので、ＩＣカード１０の盗難を抑制する効果を得ることが可能となる。即ち、着席状態であるときに対してＩＣカード１０の発行に困難さがあれば、ＩＣカード１０の発行を禁止する場合と同様にＩＣカード１０の盗難を抑制する効果を得ることが可能となる。
【００７７】
本実施形態では、記録媒体としてＩＣカード１０を用いる構成を例示したが、携帯電話機やＩＣコインを用いることも可能である。
本実施形態では、設定時間及び解除時間を個別に設定する構成を例示したが、例えば一方の時間を遊技場の従業員が設定すると、その設定した一方の時間に基づいて他方の時間を自動的に設定しても良い。例えば設定時間（例えば１分）を設定すると、その設定時間よりも予め定められた所定時間だけ長い時間（例えば２分）を解除時間として自動的に設定しても良い。
【００７８】
本実施形態では、人体ロック機能とセーフモード機能とがそれぞれ独立して動作する構成を例示したが、人体ロック機能とセーフモード機能とが連動する構成にしても良い。例えば人体ロック機能のロック時間よりもセーフモード機能の非稼動検出時間を長く設定しておき、着席状態ではない時間がロック時間に達したときに人体ロック機能による発行抑制状態を設定し、その後、未検出時間が非稼動検出時間に達したときに人体ロック機能による発行抑制状態を解除してセーフモード機能による発行抑制状態を設定しても良い。即ち、人体ロック機能及びセーフモード機能のうち一方よりも他方を優先して設定する構成にしても良い。
【００７９】
本実施形態では、着席状態ではない時間がロック時間に達したときにＩＣカード１０の発行を抑制する構成を例示したが、ＩＣカード１０の発行を抑制する構成に加え、又は代えてその他の機能を抑制する構成でも良い。例えば複数のＩＣカード１０の残高や持玉の値を１枚のＩＣカード１０に合算可能な構成ではその合算機能を禁止しても良く、又、受け付け中のＩＣカード１０の残高や持玉の一部又は全部を他のＩＣカード１０に対応付ける分割機能等を禁止しても良い。更には、許容するか禁止するかを遊技場側で選択可能としても良い。
【００８０】
遊技場の従業員による操作（例えば操作リモコン３５の操作）が行われたことのみを条件として、発行抑制状態を解除する構成としても良い。即ち、発行抑制状態を設定している状態で遊技者が着席したと判定した場合に発行抑制状態を解除してしまうと、ＩＣカード１０を盗もうと考える人物（不正行為者）が、着席していないことが原因でＩＣカード１０が発行されないことに気付いて着席すると、ＩＣカード１０が発行されて盗難されてしまうことなるが、遊技場の従業員による操作が行われたことのみを条件とすることで、そのような事態を抑制することができる。
【００８１】
管理装置６が行う処理の少なくとも一部を貸出装置２や情報表示装置３等の他の装置にて行うようにしても良いし、貸出装置２が行う処理の少なくとも一部を管理装置６や情報表示装置３等の他の装置にて行うようにしても良い。例えばカメラ２９が撮像した画像を貸出装置２が画像処理しても良い。
【００８２】
ロック時間やロック解除時間を、時間帯別、遊技場内を監視する従業員の人数、エリア別に区分して設定しても良い。
【符号の説明】
【００８３】
図面中、１は遊技機、２は貸出装置（遊技用装置）、９ｂはモニタ（撮像結果表示手段）、１０はＩＣカード（記録媒体）、２７はカード挿入口（受付手段、発行手段）、２９はカメラ（撮像手段）、３０は制御部（受付手段、発行手段）、３６ａは判定部（判定手段）、３６ｂは抑制状態設定部（抑制状態設定手段）、３６ｃは抑制状態解除部（抑制状態解除手段）、３６ｄは時間決定部（時間決定手段）、３６ｅは遊技者識別部（遊技者識別手段）、３６ｆは遊技者管理部（遊技者管理手段）である。
【図１】
2018198637.tif 000003
【図２】
2018198637.tif 000004
【図３】
2018198637.tif 000005
【図４】
2018198637.tif 000006
【図５】
2018198637.tif 000007
【図６】
2018198637.tif 000008
【図７】
2018198637.tif 000009
【図８】
2018198637.tif 000010
【図９】
2018198637.tif 000011
【図１０】
2018198637.tif 000012